(57)【特許請求の範囲】
【請求項１】
上流搬送部と、下流搬送部と、前記上流搬送部と前記下流搬送部との間に設けられたフレキシブル搬送部と、
前記上流搬送部の一端部と前記フレキシブル搬送部の一端部とを第１の方向に回転自在に連結する第１のプーリを有する第１の屈曲部と、
前記下流搬送部の一端部と前記フレキシブル搬送部の他端部とを前記第１の方向と逆方向に回転自在に連結する第２のプーリを有する第２の屈曲部と、
前記上流搬送部の他端部に並んで取り付けられた一対の第３のプーリと、
前記下流搬送部の他端部に並んで取り付けられた一対の第４のプーリと、
前記一対の第３のプーリの一方、前記一対の第４のプーリの一方及び前記第１のプーリに掛架された第１の無端ベルトと、
前記一対の第３のプーリの他方、前記一対の第４のプーリの他方及び前記第２のプーリに掛架された第２の無端ベルトと、を備え、前記第１の無端ベルト及び第２の無端ベルトの間に紙幣を横立姿勢で挟持ながら、前記上流搬送部から前記フレキシブル搬送部を経由して前記下流搬送部へ搬送する紙幣搬送路を形成したことを特徴とする紙幣搬送ユニット。
【請求項２】
前記第１の屈曲部及び前記第２の屈曲部の上フレーム及び下フレームに、前記紙幣搬送路に沿って切り欠き部を設けたことを特徴とする請求項１記載の紙幣搬送ユニット。
【請求項３】
前記第１の屈曲部及び前記第２の屈曲部に、前記第１のプーリ及び前記第２のプーリの支軸の中心に対して同心円状の開口部を有する角度固定用板を設けたことを特徴とする請求項１記載の紙幣搬送ユニット。
【請求項４】
複数の遊技機と台間機が交互に並設されて成る島の内側に設置され、前記台間機に投入された紙幣を紙幣回収箱まで搬送する紙幣搬送装置において、
相互に連結された複数の紙幣搬送ユニットを含み、該紙幣搬送ユニットは、
上流搬送部と、下流搬送部と、前記上流搬送部と前記下流搬送部との間に設けられたフレキシブル搬送部と、
前記上流搬送部の一端部と前記フレキシブル搬送部の一端部とを第１の方向に回転自在に連結する第１のプーリを有する第１の屈曲部と、
前記下流搬送部の一端部と前記フレキシブル搬送部の他端部とを前記第１の方向と逆方向に回転自在に連結する第２のプーリを有する第２の屈曲部と、
前記上流搬送部の他端部に並んで取り付けられた一対の第３のプーリと、
前記下流搬送部の他端部に並んで取り付けられた一対の第４のプーリと、
前記一対の第３のプーリの一方、前記一対の第４のプーリの一方及び前記第１のプーリに掛架された第１の無端ベルトと、
前記一対の第３のプーリの他方、前記一対の第４のプーリの他方及び前記第１のプーリに掛架された第２の無端ベルトと、を備え、前記第１の無端ベルト及び第２の無端ベルトの間に紙幣を横立姿勢で挟持ながら、前記上流搬送部から前記フレキシブル搬送部を経由して前記下流搬送部へ搬送することを特徴とする紙幣搬送装置。
【請求項５】
前記第１の屈曲部又は第２の屈曲部によって前記複数の紙幣搬送ユニットを水平方向に所定角度折り曲げることにより、全体の紙幣搬送路が曲線を描くように屈曲させ、遊技機及び台間機を当該曲線に沿って配置可能としたことを特徴とする請求項４記載の紙幣搬送装置。
【請求項６】
前記紙幣搬送ユニットの第１の屈曲部又は第２の屈曲部によって前記搬送ユニットを水平方向に９０°折り曲げることにより、全体の紙幣搬送路がＬ字型となるように屈曲させ、遊技機及び台間機をＬ字状に配置可能としたことを特徴とする請求項４記載の紙幣搬送装置。
【請求項７】
前記第１の屈曲部によって前記搬送ユニットを水平方向に所定角度折り曲げると共に、前記第２の屈曲部によって前記搬送ユニットを逆方向に所定角度折り曲げることにより、障害物を避けるように紙幣搬送経路を屈曲させたことを特徴とする請求項４記載の紙幣搬送装置。
【請求項８】
前記紙幣搬送ユニットの第１の屈曲部又は第２の屈曲部によって前記搬送ユニットを水平方向に９０°折り曲げることにより紙幣搬送部を屈曲させ、その屈曲された紙幣搬送部の端に前記紙幣回収箱を設けることにより、前記遊技台及び台間機の正面側に並んで前記紙幣回収箱を配置したことを特徴とする請求項４記載の紙幣搬送装置。
【発明の詳細な説明】
【０００１】
【発明の属する技術分野】
本発明は、無端ベルト間に横立姿勢の紙幣を挟持しながら搬送する紙幣搬送ユニット、及び複数の遊技機と台間機とが並設された島の内側に設置され、台間機に設けられた紙幣投入口から投入された紙幣を紙幣回収箱まで搬送する紙幣搬送装置に関する。
【０００２】
【従来の技術】
パチンコホール等の遊技店舗において、遊技機（パチンコ台やスロットマシーン）と台間機（メダル貸機やパチンコ玉貸機）とが交互に背合わせで並設され、いわゆる「島」を構成している。そして、その島の内側の間隙に、遊技機列に沿うようにして紙幣搬送装置が設置されている。
【０００３】
従来の紙幣搬送装置として、複数の搬送ユニットを連結して構成するものが知られている。例えば先行技術文献として特開平６−１３１０６４号公報、特開平６−１１５７５３号公報、特開平９−０４８５３４号公報等がある。
【０００４】
従来、遊技機と台間機は直線上に並設されていたので、搬送ユニットも直線的に連結されていた。
【０００５】
一方、遊技機と台間機とを曲線状に配置して成る島（以下、Ｒ島という）が提案されている。かかるＲ島を設けることにより遊技店舗内の島配置は一層変化に富んだものとなり、遊技客の趣向を高め、集客力を増大させることが期待される。また、Ｒ島以外にも様々なバリエーションに富んだ島を手軽に、かつ自由自在に構築することが望まれている。
【０００６】
そこで、Ｒ島等を実現するために、どのように曲線状の紙幣搬送路を構成するかが問題となる。本願発明者は、複数の搬送ユニットを屈曲して連結する技術を既に提案した（特願２０００−０４３８５２号、特願２０００−３０６６７９号）。
【０００７】
【発明が解決しようとする課題】
しかしながら、搬送ユニットを屈折させる角度や方向に制限があったために、搬送ユニットを連結して、様々な変化に富んだ島を構成することに十分には対応できなかった。
【０００８】
本発明は上述した従来技術の課題に鑑みて為されたものであり、紙幣搬送装置を構成する搬送ユニットをよりフレキシブルに折り曲げ可能とすることにより、Ｒ島、Ｌ島、ドーナツ島等のバリエーションに富んだ島を臨機応変に構築することを目的としている。
【０００９】
【課題を解決するための手段】
そこで、本発明の紙幣搬送ユニットの特徴構成は、無端ベルト間に横立姿勢の紙幣を挟持しながら搬送する紙幣搬送ユニットにおいて、紙幣搬送ユニットの搬送路の途中に設けられた第１の軸を中心として、紙幣搬送ユニットの第１の部分を水平方向に折り曲げ可能な第１の屈曲部を設ける。また、第１の軸から離れた前記搬送路の途中に設けられた第２の軸を中心として、紙幣搬送ユニットの第２の部分を第１の部分と逆方向に折り曲げ可能な第２の屈曲部を設ける。第１及び第２の屈曲部において、幣搬送ユニットを折り曲げることにより、紙幣の搬送路を左右自在に屈曲可能とした。
【００１０】
かかる構成によれば、紙幣搬送ユニットを長手方向に沿って、２箇所で互いに逆方向に折り曲げることができるので、紙幣搬送ユニットを複数連結することにより、Ｒ島、Ｌ島、ドーナツ島等のバリエーションに富んだ島を臨機応変に構築することができる。また、紙幣搬送路に沿って障害物（例えば、店舗内の柱や玉回収管）がある場合でも、島の配列を乱すことなく障害物を避けるように、紙幣搬送路を屈曲させることができる。
【００１１】
また、本発明の紙幣搬送装置の特徴構成は、複数の遊技機と台間機が交互に背合わせで並設されて成る島の内側に設置され、台間機に投入された紙幣を紙幣回収箱まで搬送する紙幣搬送装置において、相互に連結可能な複数の紙幣搬送ユニットを含む。その紙幣搬送ユニットは、紙幣搬送路の途中に設けられた第１の軸を中心として、搬送ユニットの第１の部分を水平方向に折り曲げ可能な第１の屈曲部と、第１の軸から離れた紙幣搬送路の途中に設けられた第２の支軸を中心として、紙幣搬送ユニットの第２の部分を第１の部分と逆方向に折り曲げ可能な第２の屈曲部を設けた。
【００１２】
かかる構成によれば、Ｒ島、Ｌ島、ドーナツ島等のバリエーションに富んだ島を臨機応変に構築することができるとともに、紙幣搬送路に沿って障害物（例えば、店舗内の柱や玉回収管）がある場合でも、島の配列を乱すことなく障害物を避けるように、紙幣搬送路を屈曲させることができる。また、紙幣搬送路の終端に設置される紙幣回収箱の設置位置にも自由度が生じる。
【００１３】
【発明の実施の形態】
本発明の紙幣搬送ユニットの実施形態について、図面を参照しながら説明する。図１は紙幣搬送ユニット１００の正面、図２はその平面図である。また、図３は紙幣搬送ユニット１００の内部機構を示す平面図（上フレームを取り除いた状態）である。また、図４は紙幣搬送ユニット１００と上流側の紙幣搬送ユニット２００の連結部分を示す平面図（上フレームを取り除いた状態）である。
【００１４】
この紙幣搬送ユニット１００は金属製の上フレーム１０１と下フレーム１０２に以下に説明する種々の部品が取り付けられて構成されている。紙幣搬送ユニット１００は、紙幣搬送の上流側から、上流搬送部１、フレキシブル搬送部２、下流搬送部３から構成されており、上流搬送部１とのフレキシブル搬送部２間に第１の屈曲部１２が、フレキシブル搬送部２との下流搬送部３間に第２の屈曲部１３が設けられている。すなわち、上流搬送部１とフレキシブル搬送部２とは第１の屈曲部１２によって屈曲可能に連結され、下流搬送部３とフレキシブル搬送部２とは第２の屈曲部１３によって屈曲可能に連結されている。
【００１５】
そして、上流搬送部１の端部には一対のプーリ２０，２１が、下流搬送部３の端部には他の一対のプーリ２２，２３が取り付けられている。下流搬送部３の上フレーム１０１上にはプーリ２２，２３を回転駆動するためのモータ６０が取り付けられている。
【００１６】
そして、プーリ２０，２２には無端ベルト２４が、プーリ２１，２３には無端ベルト２５がそれぞれ掛架されている。隣接する上流側の紙幣搬送ユニット（不図示）から搬送されて来た紙幣（不図示）は、無端ベルト２４，２５間に横立状態で挟持されながら、プーリ２０〜２３の回転に伴って無端ベルト２４，２５が回動することにより、上流側から下流側へ搬送される。そして、無端ベルト２４，２５によって搬送された紙幣は、紙幣ガイド２６を通って下流側に連結された紙幣搬送ユニット（不図示）に案内される。
【００１７】
次に、第１の屈曲部１２及び第２の屈曲部１３の構成について更に詳しく説明する。第１の屈曲部１２及び第２の屈曲部１３はフレキシブル搬送部２の中心点Ｃに対して、点対称に構成されているので、以下では第２の屈曲部１３について説明する。
【００１８】
下流搬送部３の上フレーム１０１から延設された半円状の連結片５２とフレキシブル搬送部２の上フレーム１０１から延設された半円状の連結片５３が相互に重なり合い、この連結片５２，５３に開口された孔を通してプーリ５０の支軸５１がワッシャー５４を介して回転自在に係合されている。同様に、下流搬送部３の下フレーム１０２から延設された半円状の連結片５５とフレキシブル搬送部２の上フレーム１０１から延設された半円状の連結片５６が相互に重なり合い、この連結片５５，５６に開口された孔を通してプーリ５０の支軸５１がワッシャー５７を介して回転自在に係合されている。
【００１９】
また、第２の屈曲部１３の上フレーム１０１、下フレーム１０２には搬送ユニット１００の長手方向に沿って、それぞれ切り欠き部１２０が形成されている。これにより、下流搬送部３とフレキシブル搬送部２との成す角度は、０°から最大で９０°まで屈曲させることが可能である。
【００２０】
７０は、角度固定用板であって、ネジ７１によって下流搬送部３の上フレーム１０１に固定され、プーリ５０の支軸５の中心に対して、同心円状に開口された孔７２を介してネジ７３により、フレキシブル搬送部２にネジ止めすることにより、第２の屈曲部１３の屈曲角度を固定することができる。なお、４１，４２，６３は無端ベルト２５を円滑に回動させるためのローラであり、４３，６１，６２は無端ベルト２４を円滑に回動させるためのローラである。
【００２１】
前述したように、第１の屈曲部１２は、第２の屈曲部１３に対して点対称に構成されているので、上流搬送部１とフレキシブル搬送部２との成す角度は、０°から最大で９０°まで、逆方向に屈曲させることが可能である。
【００２２】
次に、紙幣搬送ユニット１００と他の紙幣搬送ユニットとの連結機構について説明する。１０３は下フレーム１０２に設けられた、ユニット連結板１０４用のガイドレールである。ユニット連結板１０４はガイドレール１０３に沿って前後にスライド可能になっている。ユニット連結板１０４には、位置決め用の孔１１０が細長く開口されている。一方、フレーム１０１，１０２側にはネジ孔が設けられた固定板１０５が取り付けられている。したがって、ユニット連結板１０４を適当な位置までスライドさせ、ユニット連結板１０４の位置決め用の孔１１０を介して、蝶ネジ１０６によって、連結板１０４を固定板１０５にネジ止めすることにより、紙幣搬送ユニット１００と隣接する紙幣搬送ユニット２００とを連結することができる。
【００２３】
次に、上述した構成の紙幣搬送ユニット１００の種々の使用例について説明する。図５は紙幣搬送ユニット１００の第１の使用例を示す平面図である。図６は第１の使用例状態における紙幣搬送ユニット１００の内部構造を示す平面図である。
【００２４】
下流搬送部３は、ネジ７３を緩めて、プーリ５０の支軸５１を中心に回転させることにより折り曲げられる。その後、ネジ７３を締めて角度固定板７０をネジ止めして固定する。上流搬送部１はフレキシブル搬送部２に対して直線的に結合している。すなわち、この使用例では、紙幣搬送ユニット１００は第２の屈曲部１３のみで折り曲げられている。上流側から搬送されてくる紙幣は、図６中の点Ｐ１→点Ｐ２→点Ｐ３→点Ｐ４という搬送路を経由して、紙幣ガイド２６を通過して下流の紙幣搬送ユニットへ送出される。紙幣搬送路は点Ｐ３で水平左方向に屈曲される。この使用例は、後述するＲ島を構成するために用いられる。
【００２５】
図７は紙幣搬送ユニット１００の第２の使用例を示す平面図である。図８は第２の使用状態における紙幣搬送ユニット１００の内部構造を示す平面図である。下流搬送部３は、ネジ７３を緩めて、プーリ５０の支軸５１を中心に回転させることにより、フレキシブル搬送部２に対して直角（９０°）に折り曲げられる。ネジ７３を締めて角度固定板７０をネジ止めして固定する。上流搬送部１はフレキシブル搬送部２に対して直線的に結合している。すなわち、この使用例では、紙幣搬送ユニット１００は第２の屈曲部１３で直角に折り曲げられている。上流側から搬送されてくる紙幣は、図８中の点Ｐ１→点Ｐ２→点Ｐ３→点Ｐ４という搬送路を経由して、紙幣ガイド２６を通過して下流の紙幣搬送ユニットへ送出される。紙幣搬送路は点Ｐ３で水平左方向に直角に屈曲される。
この使用例は、後述するＬ島を構成するのに用いられる。
【００２６】
図９は紙幣搬送ユニット１００の第３の使用例を示す平面図である。図１０は第３の使用状態における紙幣搬送ユニット１００の内部構造を示す平面図である。図１１は図１０の部分拡大図である。
【００２７】
下流搬送部３は、プーリ５０の支軸５１を中心に回転させることにより、フレキシブル搬送部２に対して折り曲げられている。上流搬送部１はプーリ３０の支軸を中心に回転させることにより、フレキシブル搬送部２に対して逆方向に折り曲げられている。すなわち、この使用例では、紙幣搬送ユニット１００は第１の屈曲部１２、第２の屈曲部１３で互いに逆方向（紙幣の搬送方向に対して左右に）に折り曲げられている。上流側から搬送されてくる紙幣は、図１０中の点Ｐ１→点Ｐ２→点Ｐ３→点Ｐ４という搬送路を経由して、紙幣ガイド２６を通過して下流の紙幣搬送ユニットへ送出される。紙幣搬送路は点Ｐ２で水平右方向に、点Ｐ３で水平左方向に屈曲される。
【００２８】
次に、上述した紙幣搬送ユニット１００を用いた紙幣搬送装置の実施形態について説明する。図１２は第１の実施形態を示す平面図である。複数の紙幣搬送ユニット１００は、連結部８０で相互に連結されている。連結部分の具体的構成については前述した通りである。各紙幣搬送ユニット１００は、第２の屈曲部１３によって所望の角度だけ屈曲されており、紙幣搬送路は全体として曲線を描いている。
【００２９】
この紙幣搬送装置に沿って、遊技台３００（パチンコ機またはスロットマシーン）と台間機１６０（玉貸機又はメタルサンド）が背合わせで交互に並設されており、全体として曲線上に配置されたいわゆるＲ島を構成している。この例は両島の構成であるが、島の片側にのみ、遊技台３００と台間機１６０とを交互に並設したいわゆる片島の構成にすることもできる。紙幣搬送ユニット１００には、台間機１６０に投入された紙幣を受け取り、紙幣搬送路に合流させるための紙幣合流搬送部１５０が、台間機１６０毎に設けられている。
【００３０】
図１３は第２の実施形態を示す平面図である。紙幣搬送ユニット１００は下流の紙幣搬送ユニット１００と連結部８０で連結している。上流の紙幣搬送ユニット１００は紙幣搬送路の途中に設置された障害物９０（例えば、店舗の柱や玉補給管）を避けるために２箇所で屈曲させている。すなわち、搬送ユニット１００の第１の屈曲部１２，第２の屈曲部１３を互いに逆方向に屈曲させることで、クランク搬送路を構成している。従って、島の配列（台間機１６０や遊技台３００）を乱すことなく障害物９０を避けて搬送路を通すことが可能になる。また、障害物９０の位置や大きさに合わせて、紙幣搬送ユニットを個別に設計する必要がないので、コストダウンにも寄与する。
【００３１】
図１４は第３の実施形態を示す平面図である。本実施形態は第２の実施形態の変型であり、紙幣搬送ユニット１００は下流の紙幣搬送ユニット１００と連結部８０で連結している。紙幣搬送ユニット１００，１００は紙幣搬送路の途中に設置された障害物９０（例えば、店舗の柱や玉補給管）を避けるために４箇所で屈曲させている。すなわち、各搬送ユニット１００，１００の第１の屈曲部１２，第２の屈曲部１３を互いに逆方向に屈曲させることで、クランク搬送路を構成している。従って、島の配列（台間機１６０や遊技台３００）を乱すことなく障害物９０を避けて搬送路を通すことが可能になる。また、障害物９０の位置や大きさに合わせて、紙幣搬送ユニットを個別に設計する必要がないので、コストダウンにも寄与する。
【００３２】
図１５は第４の実施形態を示す平面図である。紙幣搬送ユニット１００は第２の屈曲部１３で直角に折り曲げられ、下流の紙幣搬送ユニット２００に連結されている。かかるＬ字状に曲がった紙幣搬送装置に沿って、遊技台３００及び台間機１６０を交互に並設することによりＬ島を構成することができる。
【００３３】
図１６は、第５の実施形態を示す平面図である。本実施形態は、第４の実施形態の応用例であり、紙幣回収箱１２０の配置に自由度を持たせるものである。すなわち、第４の実施形態のように紙幣搬送ユニット１００の第２の屈曲部において、紙幣搬送ユニット１００を直角に屈曲させ、屈曲された下流搬送部の端に紙幣回収箱１２０を配置したものである。
【００３４】
この結果、遊技台及３００及び台間機１６０の正面側に並んで、紙幣回収箱１２０を配置するこができる。従来の遊技店舗においては、紙幣回収箱１２０は島端に設けられていた。しかしながら、島の構成をＬ島やＲ島のようにバリエーションに富んだ構成にした場合、店舗内でのレイアウト上、遊技客の邪魔になったり、店員が紙幣箱１２０から紙幣を回収する際の作業性が悪くなることがある。
【００３５】
そこで、上記のように紙幣回収箱１２０を遊技台３００及び台間機１６０の正面側に並んで配置することによりそのような不都合を解消することができる。
【００３６】
図１７は、本発明の紙幣搬送装置を応用した、遊技店舗内のレイアウト例を示す図である。図中、１３０はＲ島、１３１、１３２はＬ島、１３３はドーナツ島である。これらの島は、上記の紙幣搬送ユニット１００を適用してＲ、Ｌ、ドーナッツ状の搬送路を有する紙幣搬送装置を構成し、それに沿って遊技台３００と台間機１６０を交互に並設することにより、フレキシブルに構成することができる。Ｌ島１３２では、上記の第５の実施形態に示したように、紙幣回収箱１２１を遊技台及び台間機の正面側に並んで配置している。このような配置は、隣接するＬ島１３１とのスペースが狭く配置スペースが十分でない場合に有効である。ドーナツ島１３３は、文字通り紙幣搬送装置をドーナツ状に閉じて構成し、その紙幣搬送装置の周りに遊技台及び台間機を配置したものである。ドーナツ島１３３では島端がないため、紙幣回収箱１２１は遊技台及び台間機の正面側に並んで配置される。その具体的な構成は、上述した第５の実施形態が適用される。
【００３７】
【発明の効果】
本発明の紙幣搬送ユニット及び紙幣搬送装置によれば、紙幣搬送ユニットを長手方向に沿って、２箇所で互いに逆方向に折り曲げることができるので、紙幣搬送ユニットを複数連結することにより、Ｒ島、Ｌ島、ドーナツ島等のバリエーションに富んだ島を臨機応変に構築することができる。
【００３８】
また、紙幣搬送路に沿って障害物（例えば、店舗内の柱や玉回収管）がある場合でも、島の配列を乱すことなく障害物を避けるように、紙幣搬送路を屈曲させることができる。
【００３９】
また、Ｌ字状に曲げた紙幣搬送ユニットの端に紙幣回収箱を設置することにより、店舗内での紙幣回収箱の配置に自由度が生じる。特に、紙幣回収箱を遊技台及び台間機の正面に並んで配置することにより、設置スペースを節約したり、回収作業を円滑に行えることができる。
【図面の簡単な説明】
【図１】本発明の実施形態に係る紙幣搬送ユニットの正面図である。
【図２】本発明の実施形態に係る紙幣搬送ユニットの平面図である。
【図３】本発明の実施形態に係る紙幣搬送ユニットの内部機構を示す平面図である。
【図４】本発明の実施形態に係る紙幣搬送ユニット１００と上流側の紙幣搬送ユニット２００の連結部分を示す平面図である。
【図５】本発明の実施形態に係る紙幣搬送ユニットの第１の使用例を示す平面図である。
【図６】第１の使用状態における紙幣搬送ユニットの内部構造を示す平面図である。
【図７】本発明の実施形態に係る紙幣搬送ユニットの第２の使用例を示す平面図である。
【図８】第２の使用例状態における紙幣搬送ユニットの内部構造を示す平面図である。
【図９】本発明の実施形態に係る紙幣搬送ユニットの第３の使用例を示す平面図である。
【図１０】第３の使用例状態における紙幣搬送ユニットの内部構造を示す平面図である。
【図１１】図１０に示した紙幣搬送ユニットの部分拡大図である。
【図１２】本発明の第１の実施形態に係る紙幣搬送装置の平面図である。
【図１３】本発明の第２の実施形態に係る紙幣搬送装置の平面図である。
【図１４】本発明の第３の実施形態に係る紙幣搬送装置の平面図である。
【図１５】本発明の第４の実施形態に係る紙幣搬送装置の平面図である。
【図１６】本発明の第５の実施形態に係る紙幣搬送装置の平面図である。
【図１７】本発明の紙幣搬送装置を応用した、遊技店舗内のレイアウト例を示す図である。
【符号の説明】
１                上流搬送部
２                フレキシブル搬送部
３                下流搬送部
１２              第１の屈曲部
１３              第２の屈曲部
２０〜２４        プーリ
２４，２５        無端ベルト
２６              紙幣ガイド
３０              プーリ
４１，４２，４３  ローラ
５０              プーリ
５１              支軸
５２，５３        連結板
５４              ワッシャー
５５，５６        連結板
５７              ワッシャー
６１，６２，６３  ローラ
７０              角度固定用板
７１              ネジ
７２              孔
７３              ネジ
８０              連結部
９０              障害物
１００            紙幣搬送ユニット
１０１            上フレーム
１０２            下フレーム
１０３            ガイドレール
１０４            ユニット連結板
１０５            固定板
１０６            蝶ネジ
１２０            切り欠き部
１５０            紙幣合流搬送部
１６０            台間機
３００            遊技台
【図１】
0003710738.tif 000002
【図２】
0003710738.tif 000003
【図３】
0003710738.tif 000004
【図４】
0003710738.tif 000005
【図５】
0003710738.tif 000006
【図６】
0003710738.tif 000007
【図７】
0003710738.tif 000008
【図８】
0003710738.tif 000009
【図９】
0003710738.tif 000010
【図１０】
0003710738.tif 000011
【図１１】
0003710738.tif 000012
【図１２】
0003710738.tif 000013
【図１３】
0003710738.tif 000014
【図１４】
0003710738.tif 000015
【図１５】
0003710738.tif 000016
【図１６】
0003710738.tif 000017
【図１７】
0003710738.tif 000018